(57)【要約】【課題】  本考案は男性の高齢化からくる前立腺の疾患による排尿などの機能障害の改善を、使い捨てカイロで簡易におこなう方法を提供することを目的とする。【解決手段】  使い捨てカイロは下穿き肌着の内側の股間部に貼り付けて使用するもので、前立腺を体外の最も近傍の会陰部から発熱温度３５℃〜４５℃で温熱し、低温やけどを防ぐために使い捨てカイロの扁平状袋の肌に接する側に厚さが０．５ｍｍ以上で、１平方メートルあたり１００グラム以上の繊維生地の面を設ける。【選択図】図２
0003152519.tif 000002
【実用新案登録請求の範囲】
【請求項１】
気密性の袋に密閉され、空気との接触による発熱温度が３５℃から４５℃に調整された発熱性組成物を内包する扁平袋状の使い捨てカイロであって、扁平状袋は貼付面材と肌側面材とからなり、肌側面材は厚さが０．５ｍｍ以上で、１平方メートルあたり１００グラム以上の繊維生地を外層に有し、貼付面材を下穿き肌着の内側の股間部に貼りつけて使用する使い捨てカイロ。
【請求項２】
前記発熱性組成物の発熱温度が３５℃〜４０℃に調整された請求項１の使い捨てカイロ。
【請求項３】
前記発熱性組成物の発熱温度が４０℃〜４５℃に調整された請求項１の使い捨てカイロ。
【考案の詳細な説明】
【技術分野】
【０００１】  本考案は下穿き肌着の内側に貼り付けて使用する使い捨てカイロに関する。【０００２】  さらに詳しくは、下穿き肌着の内側の股間部に貼り付けて会陰部から前立腺部分を温熱する使い捨てカイロに関する。
【背景技術】
【０００３】  従来、空気の存在下で発熱する発熱組成物を内包した扁平状袋の使い捨てカイロが知られている。密閉袋に入れられた扁平状袋は通気性を有し密閉袋を解放すると空気に接して発熱するものである。その中でも扁平状袋の片面に非転着性粘着剤を付して、肌着の外側から肩や腰の部分に貼り付けて温めるタイプのものが知られている。【０００４】  また扁平状袋の片面に特殊な非転着性粘着剤を付して直接肩や腰の肌面に貼り付けるタイプのものも知られている。【０００５】  このような使い捨てカイロの扁平状袋の非転着性粘着剤を有しない面は、例えばポリウレタン、ポリプロピレン、ポリエチレンなどの単体または不織布などと複合されたシートが使用される。【０００６】  しかしシートの厚さが５０〜２００μｍ程度と薄いため、熱伝達が良すぎて低温やけどを起こす危険性があり、扁平状袋の一部に空気層を形成して熱の伝達をやわらげる方法が考案されているが、それでも肌着の内側に貼り付けて使用することは考えられなかった。（たとえば特許文献１）【０００７】  また、前立腺部分を温熱するための使い捨てカイロは考案されておらず、既存のものを下穿き肌着の股間部分の外側から貼り付けても位置が合わせ難く、肌着生地の種類や厚さが変われば調整された適正温度に加温できるものではなかった。さらに直接肌に貼り付けるタイプのものは体毛のある部位には不快なもので肌を傷める危険性も伴うものであった。【０００８】  一方、泌尿器科では前立腺の疾患による排尿障害などの治療法として、経尿道治療が電気的に前立腺を約４５℃に加温する方法で行われている。【０００９】  そのような状況から、股間から前立腺付近を温めるために使い捨てカイロを入れるポケット付きの特殊な男性用パンツも考案されているが、カイロの位置が前立腺から離れており、また高価で汎用性に欠けるものであった。（たとえば特許文献２）【００１０】
【特許文献１】特開平８−１２６６５６号公報
【特許文献２】特開２００６−３４６３８３号公報
【考案の開示】
【考案が解決しようとする課題】
【００１１】  本考案は上記の現状に鑑み、男性の高齢化からくる前立腺の疾患による排尿などの機能障害の改善を、使い捨てカイロで簡易におこなう方法を提供することを目的とする。
【課題を解決するための手段】
【００１２】  使い捨てカイロを下穿き肌着の内側の股間部に貼り付けて、前立腺を体外の最も近傍の会陰部から温熱する。【００１３】  使い捨てカイロの発熱温度を前立腺の温熱治療で効果のある３５℃〜４５℃とする。カイロの発熱温度は公知の発熱組成物である鉄粉、水、保水剤、活性炭、食塩などの充填量を変えたり、混合割合を変えたり、扁平状袋の通気性を変えて調整される。【００１４】  扁平状袋は貼付面材と肌側面材とからなり、少なくともどちらか一方の面材に通気性をもたせる。貼付面材は公知の材料で例えばポリウレタン、ポリプロピレン、ポリエチレンなどの単体または不織布などと複合されたシートに非転着性粘着剤の層を設けたものである。【００１５】  肌側面材は低温やけどの危険性を防ぐために、例えばポリウレタン、ポリプロピレン、ポリエチレンなどの単体または不織布などと複合されたシートに厚さが０．５ｍｍ以上で、１平方メートルあたり１００グラム以上の繊維生地を外層に複合したシートとする。【００１６】  肌触りと熱を緩やかに伝えるために、繊維生地の好ましい厚さは１．０〜２．０ｍｍで、重さは１平方メートルあたり２００〜３００グラムである。ここで繊維の厚さとは静置状態での見掛けの厚みをいう。
【考案の効果】
【００１７】  本考案による使い捨てカイロは肌着の外側に貼り付けて使用するタイプのものよりも、正確に位置を決めて、適正温度で快適に、前立腺を体外の最も近傍の会陰部から温熱することができるので、効果的に前立腺機能の障害を改善することができる。【００１８】  また使い捨てカイロの扁平状袋の肌に接する側の面には、厚い繊維生地層があるので肌との間に隙間が残り、発熱温度が緩やかに会陰部に伝わり低温やけどの危険性の少ないものである。【００１９】  さらに発熱温度が３５℃〜４０℃に調整されたものは前立腺肥大症に伴う排尿障害を改善することができ、発熱温度が４０℃〜４５℃に調整されたものは前立腺肥大症などの疾患を治療することにも期待できるものである。【００２０】  また本考案による使い捨てカイロの発熱剤に遠赤外線発生物質、磁性材料、焦電性物質などの血行改善効果のある物質を入れると更なる効果が期待できるものである。
【考案を実施するための最良の形態】
【００２１】  本考案による使い捨てカイロは、空気との接触による発熱温度が３５℃から４５℃に調整された発熱性組成物を内包する扁平袋状の使い捨てカイロであって、扁平状袋の寸法は一片が５〜１０ｃｍの長方形であって、扁平状袋は貼付面材と肌側面材とからなり、貼付面材には非転着性粘着剤が施されており、肌側面材は外層に厚さが０．５ｍｍ以上で、１平方メートルあたり１００グラム以上の繊維生地を有する、下穿き肌着の内側の股間部に貼りつけて使用する使い捨てカイロである。【００２２】  扁平状袋の肌側面材の外層を構成する繊維素材としては木綿、ナイロン、ポリエステルなどで、生地は不織布、メリヤス、タオル、フリースなどからなる使い捨てカイロである。
【実施例】
【００２３】  被検のために市販されている使い捨てカイロ（桐灰化学株式会社製、首ホットン、取替え用温熱シート）を改良して用いた。この温熱シートは約４０℃の温度が６時間持続するように温度調整されたシートで、専用パットのポケットに入れて使用するもので、肌に直接あてないよう、また就寝時やふとんの中では使用しないようにと注意書きされています。
この温熱シートを密閉袋から取り出し、肌側と印刷された面に厚さ約１ｍｍで１平方メートルあたり２００グラムの綿のメリヤス生地を両端に両面粘着テープで貼り付け、さらに他方の両端にも両面粘着テープを貼りつけた。
この使い捨てカイロをブリーフの内側の股間部の会陰部に合わせて貼り付けて就寝したところ、それまで冬場の夜間に２〜３回あった頻尿が無くなり朝まで快眠することが出来た。同様に５日間続けたが、低温やけどをすることもなかった。
【産業上の利用可能性】
【００２４】  この考案のように使い捨てカイロを肌着の内側に貼り付ければ、肩や腰の位置に貼り付けても上着を脱いだときに目立つことがない。また非転着性粘着剤が剥がれて肌着から剥離しても外に落ちることがないので、非転着性粘着剤の接着強度を弱くして剥離による肌着の傷みを少なくすることが出来る。
【図面の簡単な説明】
【００２５】
【図１】本考案の使い捨てカイロの一実施形態の概略断面図である。
【図２】本考案の使い捨てカイロの扁平状袋の肌側面材の一実施形態の概略断面図である。
【符号の説明】
【００２６】    １  気密性袋
２  扁平状袋
３  貼付面材
４  肌側面材
５  発熱性組成物
２１  ポリエチレン層
２２  繊維生地層
【図１】
0003152519.tif 000003
【図２】
0003152519.tif 000004